(57)【要約】【課題】送信端末装置から受信端末装置に送信される情報の信頼性を改善する通信システム、通信方法を提供することを課題としている。【解決手段】送信端末装置と、受信端末装置と、ネットワーク交換機と、サーバとを具備し、送信端末装置の発呼要求に応じて、ネットワーク交換機は、送信者情報が保管されているか否かをサーバに問い合わせし、サーバはその記憶部に保管されている送信者情報をネットワーク交換機に送信し、ネットワーク交換機は、着信要求信号と送信者情報とを受信端末装置に送信する。【選択図】図１
2011234116.tif 000002
【特許請求の範囲】
【請求項１】
送信端末装置と、受信端末装置と、ネットワーク交換機と、サーバとを具備し、
前記送信端末装置の発呼要求に応じて、前記ネットワーク交換機は、送信者情報が保管されているか否かを前記サーバに問い合わせし、前記サーバはその記憶部に保管されている前記送信者情報を前記ネットワーク交換機に送信し、前記ネットワーク交換機は、着信要求信号と前記送信者情報とを受信端末装置に送信する
ことを特徴とする通信システム。
【請求項２】
前記サーバの前記記憶部に保管されている前記送信者情報は、複数の情報から成る
ことを特徴とする請求項１に記載の通信システム。
【請求項３】
前記送信者情報は、前記送信端末装置の個別情報である端末識別情報に関連付けられている
ことを特徴とする請求項１または請求項２に記載の通信システム。
【請求項４】
前記ネットワーク交換機は、
前記サーバの前記記憶部に前記送信者情報が記憶されて登録されていない場合、前記送信者情報が登録されていない旨を通知する信号を前記送信端末装置に送信する
ことを特徴とする請求項１から請求項３のいずれか１項に記載の通信システム。
【請求項５】
前記受信端末装置は、
未登録の送信者からの受信を拒否する設定をしている場合、前記送信者情報に基づき前記未登録の送信者からの受信を拒否する設定を解除し、
前記受信端末装置への送信者情報と前記着信要求信号とを受信する
ことを特徴とする請求項１から請求項４のいずれか１項に記載の通信システム。
【請求項６】
前記ネットワーク交換機は、
前記着信要求信号と前記送信者情報を、同時に前記受信端末装置に送信するか、または、前記着信要求信号より先に前記送信者情報を送信するか、または、前記送信者情報より先に前記着信要求信号を送信するかが選択可能である
ことを特徴とする請求項１から請求項５のいずれか１項に記載の通信システム。
【請求項７】
前記送信端末装置は、
前記サーバの前記記憶部に記憶されて登録されている前記送信者情報の処理方法に関する信号を、前記ネットワーク交換機に送信するか否かを選択可能である
ことを特徴とする請求項１から請求項６のいずれか１項に記載の通信システム。
【請求項８】
送信端末装置と、受信端末装置と、ネットワーク交換機と、サーバとを具備する通信システムの通信方法において、
前記送信端末装置の発呼要求に応じて、前記ネットワーク交換機は、送信者情報が保管されているか否かを前記サーバに問い合わせし、前記サーバはその記憶部に保管されている前記送信者情報を前記ネットワーク交換機に送信し、前記ネットワーク交換機は、着信要求信号と前記送信者情報とを受信端末装置に送信する
ことを特徴とする通信方法。
【発明の詳細な説明】
【技術分野】
【０００１】
本発明は、通信システム、通信方法に関する。
【背景技術】
【０００２】
現在、携帯電話の電話発着信時において、受信端末装置に送信端末装置の電話番号以外の情報を表示させるサービスが実施されている。例えば、送信端末装置は、通信を開始する前に通信用件や緊急度などの付加情報を送信し、受信端末装置は、前記付加情報を受信することが提案されている（例えば、特許文献１参照）。
【０００３】
このサービスの使用例として、宅配便の荷物送付時における電話連絡が挙げられる。宅配業者が荷物の届け先に、訪問時刻の連絡を、携帯電話を利用して行う場合がある。一般に、送信者である宅配業者と、受信者である荷物受取人は面識が無い。このため、受取人の携帯電話には宅配業者の電話番号は登録されておらず、宅配業者から受取人の携帯電話に着信があっても、受信者である荷物受取人が送信者を確認することは困難である。
そこで、宅配業者が電話連絡時に、荷物送付の旨のメッセージを受取人の携帯電話に送信して、受取人の携帯電話に前記メッセージを表示させる。
【先行技術文献】
【特許文献】
【０００４】
【特許文献１】特開２００５−１１７１７０号公報
【発明の概要】
【発明が解決しようとする課題】
【０００５】
しかしながら、特許文献１の従来技術では、送信者は任意の情報を送信できるので、なりすまし等の犯罪に悪用される危険性があるという問題点があった。例えば、受信端末装置が荷物送付の旨のメッセージを受信しても、実際に送信者が宅配業者であることは保証されず、電話発着信時に面識の無い送信者の送信端末装置から受信端末装置に送信される情報の信頼性が保証されないという問題点があった。
【０００６】
本発明は、上記の問題点に鑑みてなされたものであって、送信端末装置から受信端末装置に送信される情報の信頼性を改善する通信システム、通信方法を提供することを課題としている。
【課題を解決するための手段】
【０００７】
上記目的を達成するため、本発明に係る通信システムが、送信端末装置と、受信端末装置と、ネットワーク交換機と、サーバとを具備し、前記送信端末装置の発呼要求に応じて、前記ネットワーク交換機は、送信者情報が保管されているか否かを前記サーバに問い合わせし、前記サーバはその記憶部に保管されている前記送信者情報を前記ネットワーク交換機に送信し、前記ネットワーク交換機は、着信要求信号と前記送信者情報とを受信端末装置に送信することを特徴としている。
【０００８】
また、本発明に係る通信システムにおいて、前記サーバの前記記憶部に保管されている前記送信者情報は、複数の情報から成るようにしてもよい。
【０００９】
また、本発明に係る通信システムにおいて、前記送信者情報は、前記送信端末装置の個別情報である端末識別情報に関連付けられているようにしてもよい。
【００１０】
また、本発明に係る通信システムにおいて、前記ネットワーク交換機は、前記サーバの前記記憶部に前記送信者情報が記憶されて登録されていない場合、前記送信者情報が登録されていない旨を通知する信号を前記送信端末装置に送信するようにしてもよい。
【００１１】
また、本発明に係る通信システムにおいて、前記受信端末装置は、未登録の送信者からの受信を拒否する設定をしている場合、前記送信者情報に基づき前記未登録の送信者からの受信を拒否する設定を解除し、前記受信端末装置への送信者情報と前記着信要求信号とを受信するようにしてもよい。
【００１２】
また、本発明に係る通信システムにおいて、前記サーバは、１つあるいは複数の前記受信端末装置への送信情報が、前記送信端末装置に関連づけられて前記記憶部に記憶されて登録されているようにしてもよい。
【００１３】
また、本発明に係る通信システムにおいて、前記ネットワーク交換機は、前記着信要求信号と前記送信者情報を、同時に前記受信端末装置に送信するか、または、前記着信要求信号より先に前記送信者情報を送信するか、または、前記送信者情報より先に前記着信要求信号を送信するかが選択可能であるようにしてもよい。
【００１４】
上記目的を達成するため、本発明に係る送信端末装置と、受信端末装置と、ネットワーク交換機と、サーバとを具備する通信システムの通信方法が、前記送信端末装置の発呼要求に応じて、前記ネットワーク交換機は、送信者情報が保管されているか否かを前記サーバに問い合わせし、前記サーバはその記憶部に保管されている前記送信者情報を前記ネットワーク交換機に送信し、前記ネットワーク交換機は、着信要求信号と前記送信者情報とを受信端末装置に送信することを特徴としている。
【発明の効果】
【００１５】
本発明によれば、送信端末装置から受信端末装置に送信される情報の信頼性を改善できる。
【図面の簡単な説明】
【００１６】
【図１】本発明の第１実施形態に係る通信システムの構成図である。
【図２】本発明の第１実施形態に係るサーバの記憶部に保管されている情報の一例を示す図である。
【図３】本発明の第１実施形態に係るサーバに情報が存在する場合のシーケンス図である。
【図４】本発明の第１実施形態に係るサーバに情報が存在しない場合のシーケンス図である。
【図５】本発明の第２実施形態に係る通信システム２の構成図である。
【図６】本発明の第２実施形態に係るサーバの記憶部に保管されている情報の一例を示す図である。
【図７】本発明の第２実施形態に係るサーバに情報が存在する場合のシーケンス図である。
【図８】本発明の第２実施形態に係るサーバに情報が存在しない場合のシーケンス図である。
【図９】本発明の第３実施形態に係る通信システム３の構成図である。
【図１０】本発明の第３実施形態に係るシーケンス図である。
【発明を実施するための形態】
【００１７】
以下、図１〜図１０を用いて本発明の実施形態について詳細に説明する。なお、本発明は斯かる実施形態に限定されず、その技術思想の範囲内で種々の変更が可能である。
【００１８】
［第１実施形態］
第１実施形態について、図１〜図４を用いて説明する。図１は、本実施形態に係る通信システムの構成図である。図１のように、通信システム１は、送信端末装置１１と、受信端末装置１２と、ネットワーク交換機１３と、サーバ１４とを備えている。また、ネットワーク交換機１３は、発呼要求受信部１３１と、発呼要求変換部１３２と、指示送信部１３３と、応答受信部１３４と、着信要求送信部１３５とを備えている。また、サーバ１４は、指示受信部１４１と、照合部１４２と、記憶部１４３と、照合結果送信部１４４とを備えている。なお、ネットワーク交換機１３とサーバ１４とは、公知の有線ネットワークを介して接続してもよく、あるいは、無線ネットワークを介して接続しても良い。なお、サーバ１４は、ＩＰサービスネットワークに接続されていてもよい。
【００１９】
送信端末装置１１は、受信端末装置１２への発呼要求信号をネットワーク交換機１３に送信する。発呼要求信号には、送信端末装置１１と受信端末装置１２の端末識別情報が含まれている。また、送信端末装置１１は、サーバ１４に送信端末装置１１の端末識別情報に関連付けられている送信者情報が保管されていない場合、送信者情報が登録されていない旨の通知をネットワーク交換機１３から受信する。なお、送信端末装置１１は、非図示の送受信アンテナと、非図示の送受信部、非図示の入力部、非図示の表示部等を備えている。
受信端末装置１２は、ネットワーク交換機１３から送信された着信要求信号とサーバ１４から送信者情報を受信する。着信要求信号には、送信端末装置１１と受信端末装置１２の端末識別情報が含まれている。なお、受信端末装置１２は、非図示の送受信アンテナと、非図示の送受信部、非図示の入力部、非図示の表示部等を備えている。
【００２０】
ネットワーク交換機１３の発呼要求受信部１３１は、送信端末装置１１からの発呼要求信号を受信し、受信した発呼要求信号を発呼要求変換部１３２に出力する。なお、発呼要求受信部１３１は、非図示の受信アンテナと、非図示の受信した信号を復調する復調部等を備えている。
発呼要求変換部１３２には、発呼要求信号が入力され、入力された発呼要求信号を着信要求信号に変換し、さらに、発呼要求信号から端末識別情報、例えば送信端末装置１１の電話番号を抽出し、抽出した端末識別情報と変換した着信要求信号を指示送信部１３３と応答受信部１３４に出力する。
指示送信部１３３には、抽出された端末識別情報と変換された着信要求信号とが入力され、入力された着信要求信号に応じて、送信端末装置１１の端末識別情報に関連付けられている送信者情報が保管されているか否かの問い合わせ指示を生成し、生成した問い合わせ指示をサーバ１４に送信する。
【００２１】
ネットワーク交換機１３の応答受信部１３４は、サーバ１４から問い合わせ指示の応答である照合結果と送信者情報とを受信する。また、応答結果に基づき、送信端末装置１１の端末識別情報に関連付けられている送信者情報が保管されている場合、応答受信部１３４は、送信者情報と着信要求信号とを着信要求送信部１３５に出力する。さらに、送信端末装置１１の端末識別情報に関連付けられている送信者情報が保管されていない場合、応答受信部１３４は、着信要求信号を着信要求送信部１３５に出力する。
着信要求送信部１３５には、着信要求信号のみ、または、送信者情報と着信要求信号とが入力される。送信端末装置１１の端末識別情報に関連付けられている送信者情報が保管されている場合、着信要求送信部１３５は、送信者情報と着信要求信号とを受信端末装置１１に送信する。また、送信端末装置１１の端末識別情報に関連付けられている送信者情報が保管されていない場合、着信要求送信部１３５は、送信者情報が登録されていない旨の通知を送信端末装置１１に送信し、さらに、着信要求信号を受信端末装置１１に送信する。なお、着信要求送信部１３５は、非図示の送信アンテナと、非図示の送信する信号を変調する変調部等を備えている。
【００２２】
サーバ１４の指示受信部１４１は、ネットワーク交換機１３からの問い合わせ指示を受信し、受信した問い合わせ指示を照合部１４２に出力する。照合部１４２には、指示受信部１４１から問い合わせ指示が入力され、入力された問い合わせ指示に基づき、送信端末装置１１の端末識別情報に関連付けられている送信者情報が記憶部１４３に保管されているか否かを検索する。
記憶部１４３には、送信端末装置１１の端末識別情報と、送信端末装置１１の端末識別情報に関連付けられている送信者情報が記憶されて保管されている。なお、端末識別情報とは、例えば、送信端末装置１１の電話番号である。図２は、サーバ１４の記憶部１４３に保管されている情報の一例を示す図である。図２のように、送信者毎に、端末識別情報として送信端末装置１１の電話番号と、送信者情報とが関連づけられて記憶されている。図２において、左側の送信者の項目は、「Ｔ１・・・Ｔｎ」というものであり、次の端末識別情報の項目は、送信者Ｔ１については、「０９０−ＸＸＸＸ−ＸＸＸ１」という携帯電話番号であり、次の送信者情報は、「ＸＸ宅配、配達通知」というものである。以下同様である。
【００２３】
送信者情報が保管されていた場合、照合部１４２は、記憶部１４３から送信者情報を読み出し、読み出した送信者情報とこの送信者情報が保管されている旨の照合結果とを照合結果送信部１４４に出力する。送信者情報が保管されていない場合、照合部１４２は、送信者情報が保管されていない旨の照合結果を照合結果送信部１４４に出力する。
照合結果送信部１４４には、送信者情報と照合結果とが入力され、入力された照合結果に基づき、送信者情報が保管されていた場合、送信者情報をネットワーク交換機１３に送信し、送信者情報が保管されていない場合、送信者情報が保管されていない旨を通知する信号をネットワーク交換機１３に送信する。
【００２４】
次に、サーバ１４に保管する情報の登録方法についての一例を説明する。電話発着信時に受信端末装置１２へ着信要求信号以外の情報を送信したい送信者は、携帯電話事業者の窓口等で登録受付を行い、携帯電話事業者がサーバ１４に送信者情報を登録する。
登録時、携帯電話事業者は、送信者の身分証明等を確認し、送信者の氏名や組織名に誤りがないか、登録する情報が不適切な内容でないか、などを確認する。
受信端末装置１２に表示される送信者情報の内容は、携帯電話事業者と送信者が確認し、両者の合意のもとに作成する。送信者情報は、例えば、送信者の会社名、氏名、「宅配便配達のお知らせ」等、受信者に伝えたい内容などであり、受信者が送信された電話に出るか否かの判断ができる内容などである。また、送信者情報は、文字データに限られず、例えば着信音などの音楽データや画像データ等でもよい。
そして、携帯電話事業者は、送信端末装置１１の端末識別情報と送信者情報とを関連づけてサーバ１４の記憶部１４３に書き込んで記憶させて登録する。さらに、携帯電話事業者は、送信者情報を登録した送信者に対して、セキュリティパスワードを交付する。
【００２５】
サーバ１４に登録した情報は、携帯電話事業者、もしくは、携帯電話事業者が許可したセキュリティパスワード保有者以外の者が変更することを禁止する。セキュリティパスワードを保有しない者がサーバ１４に登録した情報を変更するには、携帯電話事業者の窓口で身分証明を行うなど、前述した手続きを行い、セキュリティパスワードを交付してもらう必要がある。
セキュリティパスワード保有者は、セキュリティパスワードを用いて、送信端末装置１１などの装置から、サーバ１４に登録した情報を変更する要求と変更後の情報内容を、携帯電話事業者に通知することができる。また、セキュリティパスワード保有者は、携帯電話事業者の窓口で、サーバ１４の記憶部１４３に登録した情報を変更する要求を出して、この変更の実施が行われるようにしてもよい。携帯電話事業者が、変更後の情報内容に合意した場合、携帯電話事業者はサーバ１４に保管される情報を、セキュリティパスワード保有者が要求した変更後の情報内容に変更する。
【００２６】
次に、本実施形態におけるシーケンスを図３と図４を用いて説明する。図３は、サーバに送信者情報が存在する場合のシーケンス図であり、図４は、サーバに送信者情報が存在しない場合のシーケンス図である。
【００２７】
まず、送信端末装置１１は、受信端末装置１２への発呼要求信号をネットワーク交換機１３に送信する（ステップＳ１）。次に、ネットワーク交換機１３の発呼要求受信部１３１は、送信端末装置１１からの発呼要求信号を受信し、受信した送信端末装置１１からの発呼要求信号を発呼要求変換部１３２に出力する。
次に、発呼要求変換部１３２には、発呼要求受信部１３１から発呼要求信号が入力され、入力された発呼要求信号から送信端末装置１１の端末識別情報、例えば送信端末装置１１の電話番号を抽出し、さらに、発呼要求信号を受信端末装置１２への着信要求信号に変換する。次に、発呼要求変換部１３２は、抽出した端末識別情報と変換した着信要求信号とを指示送信部１３３と応答受信部１３４に出力する。
次に、指示送信部１３３には、抽出された端末識別情報と変換された着信要求信号とが入力され、入力された着信要求信号に基づき、送信端末装置１１の端末識別情報に関連付けられている送信者情報が保管されているか否かを問い合わせする指示を生成し、生成した問い合わせ指示と、抽出した端末識別情報とをサーバ１４に送信する（ステップＳ２）。なお、問い合わせ指示は、受信端末装置１２に送信する着信要求信号以外の情報が保管されているか否かを問い合わせる指示である。
【００２８】
次に、サーバ１４の指示受信部１４１は、ネットワーク交換機１３からの問い合わせ指示と端末識別情報とを受信し、受信した問い合わせ指示と端末識別情報とを照合部１４２に出力する。
次に、照合部１４２には、指示受信部１４１から問い合わせ指示と端末識別情報とが入力され、入力された問い合わせ指示に基づき、送信端末装置１１の端末識別情報に関連付けられている送信者情報が記憶部１４３に保管されているか否かを検索して照合する（ステップＳ３）。
【００２９】
送信者情報が保管されていた場合、照合部１４２は、記憶部１４３から送信者情報を読み出し、読み出した送信者情報と送信者情報が保管されている旨の照合結果とを照合結果送信部１４４に出力する。
照合結果送信部１４４には、送信者情報と照合結果とが入力され、入力された照合結果に基づき、送信者情報が保管されていた場合、送信者情報をネットワーク交換機１３に送信する（ステップＳ４１）。
送信者情報が保管されていない場合、照合部１４２は、送信者情報が保管されていない旨の照合結果を照合結果送信部１４４に出力する。
照合結果送信部１４４には、送信者情報と照合結果とが入力され、入力された照合結果に基づき、送信者情報が保管されていない場合、送信者情報が保管されていない旨を通知する信号をネットワーク交換機１３に送信する（ステップＳ４２）。
【００３０】
ネットワーク交換機１３の応答受信部１３４は、サーバ１４が出力する問い合わせ指示に対する応答と送信者情報とを受信する。送信者情報が保管されていた旨の応答の場合、着信要求送信部１３５は、変換した着信要求信号と受信した送信者情報とを受信端末装置１２に送信する（ステップＳ６１）。送信者情報が保管されていない旨の応答の場合、着信要求送信部１３５は、サーバ１４に送信者情報が保管されていなかった旨の通知を送信端末装置１１に送信し（ステップＳ５２）、さらに、変換した着信要求信号のみを受信端末装置１２に送信する（ステップＳ６２）。
なお、受信端末装置１２が登録外着信拒否設定をしている場合、着信拒否設定を解除し、着信動作を行い、サーバ１４に保管されている送信者情報を受信してもよい。
【００３１】
本実施形態では、電話発着信時において、ネットワーク交換機１３からサーバ１４に、送信者情報が保管されているか否かを問い合わせて、サーバ１４は問い合わせに応対する。すなわち、ネットワーク交換機１３とサーバ１４間で信号送受信が行われる。この結果、送信端末装置１１から発呼要求信号をネットワーク交換機１３に送信し、ネットワーク交換機１３から着信要求信号を受信端末装置１２に送信する一般の電話発着信時と比較すると、本実施形態はネットワーク交換機１３とサーバ１４間で信号送受信が行われるために遅延が生じる。
このため、ネットワーク交換機１３は、受信端末装置１２に着信要求信号を先に送信し、ネットワーク交換機１３は、受信端末装置１２に着信要求信号の送信後、受信端末装置１２に送信者情報を送信してもよく、あるいは、着信要求信号と送信者情報を同時に送信してもよい。また、ネットワーク交換機１３は、受信端末装置１２に送信者情報を先に送信し、ネットワーク交換機１３は、受信端末装置１２に送信者情報を送信後、受信端末装置１２に着信要求信号を送信するようにしてもよい。
【００３２】
以上のように、本実施形態によれば、通信システム１では、電話発着信時に受信端末装置１２へ着信要求信号以外の情報を送信したい送信者は、サーバ１４に送信者情報を登録する必要がある。そして、サーバ１４に送信者情報を登録するためには、携帯電話事業者などの認証を必要とする。この結果、受信端末装置１２に送信端末装置１１の端末識別情報以外の情報を表示させるサービスにおいて、送信者は任意の情報を受信端末装置１２に表示させることができなくなるので、なりすまし等の犯罪に悪用される危険性は軽減し、電話発着信時に面識の無い送信端末装置１１から受信端末装置１２に送信される情報の信頼性を改善することができる。
【００３３】
また、本実施形態によれば、通信システム１では、送信者がネットワーク交換機１３に発呼要求信号を送信するだけで、サーバ１４に保管された情報が受信端末装置１２に表示される。これにより、送信者は発呼要求信号の送信の度に、受信端末装置１２に表示させたい情報を入力する手間を省略することができる。
【００３４】
また、本実施形態によれば、通信システム１では、サーバ１４に保管されている情報が消失した場合、ネットワーク交換機１３は、電話発着信時に、サーバ１４に情報が保管されていない旨を通知する信号を送信端末装置１１に送信する。これにより、送信者は送信者情報がサーバ１４に保管されていないことを知ることができる。この場合、送信者は、再度、通信事業者の窓口等で登録を行うか、サーバ１４に保管されている情報が消失している旨を通信事業者に通知する等の対処が可能になる。
なお、サーバ１４に登録される送信者情報には、所定の保存期間を設定するようにしてもよい。この場合、送信者は、所定の期間ごとに身分等の確認を行い、登録の更新や延長を行うことで、電話発着信時に面識の無い送信端末装置１１から受信端末装置１２に送信される情報の信頼性をさらに改善することができる。
【００３５】
また、本実施形態によれば、通信システム１では、受信端末装置１２が登録外着信拒否設定をしている場合において、サーバ１３に保管している情報を受信することは許される。これにより、例えば、受信者は着信要求信号と共に、面識の無い送信端末装置１１から用件などの文字データ、例えば、宅配業者からの配達お知らせ等の文字データを受信した場合、受信者は用件の重要度を判断して、着信に応じるか否かを選択することができる。
【００３６】
また、本実施形態によれば、通信システム１では、ネットワーク交換機１３とサーバ１４間で信号送受信が行われている間に、受信端末装置１２に着信要求信号を先に送信し、受信端末装置１２に着信要求信号を送信後、送信者情報を送信するようにしてもよい。これにより、ネットワーク交換機１３とサーバ１４間で信号送受信が行われるために生じる遅延に関係なく、着信要求信号を受信端末装置１２に送信することができる。
【００３７】
また、本実施形態によれば、通信システム１では、ネットワーク交換機１３は、受信端末装置１２に送信者情報を先に送信し、受信端末装置１２に送信者情報を送信後、着信要求信号を送信するようにしてもよい。これにより、例えば、送信者情報が着信音などの音楽データとすると、送信者が希望する時間だけ受信者に着信音を聴いてもらい、その後、受信端末装置１２は着信要求信号を受信して、受信者は送信者と通話するようなサービスが実現できる。
【００３８】
［第２実施形態］
第２実施形態について、図５〜図８を用いて説明する。図５は、本発明の第２実施形態に係る通信システム２の構成図である。第１実施形態では、送信端末装置１１ａから発呼要求信号がネットワーク交換機１３ａに送信されると、サーバ１４ａに保管されている１つの情報とネットワーク交換機１３ａで変換された着信要求信号とが、受信端末装置１２に送信される。本実施形態は、サーバ１４ａに保管されている情報が、複数存在する場合について説明する。
【００３９】
第１実施形態との違いは、サーバ１４ａの記憶部１４３ａに複数の情報が保管されている点と、送信端末装置１１ａがサーバ１４ａに保管されている複数の情報の中で、どの情報を受信端末装置１２に送信するかを選択する信号（以下、情報識別信号という）をネットワーク交換機１３ａに送信する点である。図６は、本実施形態におけるサーバ１４ａの記憶部１４３ａに保管されている情報の一例を示す図である。図６では第１実施形態と異なり、複数の送信者情報が送信者Ｔ１の端末識別情報に関連づけられて記憶されている。また、保管される送信者情報は、例えば、送信者の氏名や組織名、用件などの文字データ、音楽データ、動画データ、などである。
【００４０】
本通信システム２におけるアタッチの手順を図７と図８のシーケンス図を用いて説明する。図７は、サーバに送信者情報が存在する場合のシーケンス図であり、図８は、サーバに送信者情報が存在しない場合のシーケンス図である。まず、送信端末装置１１ａは、受信端末装置１２への発呼要求信号と情報識別信号とをネットワーク交換機１３ａに送信する（ステップＳ１０１）。
なお、送信端末装置１１ａは、例えば、発呼要求信号を送信する時、受信端末装置１２の電話番号の末尾に情報識別番号などを付加することで、情報識別信号などをネットワーク交換機１３ａに送信する。また、複数の情報識別番号などを送信するようにしてもよい。
【００４１】
次に、ネットワーク交換機１３ａの発呼要求受信部１３１ａは、送信端末装置１１ａからの発呼要求信号と情報識別信号とを受信し、受信した送信端末装置１１ａからの発呼要求信号を発呼要求変換部１３２に出力する。
次に、発呼要求変換部１３２には、発呼要求受信部１３１ａから発呼要求信号と情報識別信号とが入力され、入力された発呼要求信号から送信端末装置１１ａの端末識別情報、例えば送信端末装置１１ａの電話番号を抽出し、さらに、発呼要求信号を受信端末装置１２への着信要求信号に変換する。次に、発呼要求変換部１３２は、抽出した端末識別情報と変換した着信要求信号と情報識別信号とを指示送信部１３３に出力し、抽出した端末識別情報と変換した着信要求信号とを応答受信部１３４に出力する。
次に、指示送信部１３３には、抽出された端末識別情報と変換された着信要求信号と情報識別信号とが入力され、入力された着信要求信号に基づき、送信端末装置１１aの端末識別情報に関連付けられている送信者情報が保管されているか否かを問い合わせし且つ情報識別信号を送信する指示（以下、保管情報選択指示という）を生成し、生成した保管情報選択指示と、抽出した端末識別情報と情報識別信号をサーバ１４ａに送信する（ステップＳ１０２）。
【００４２】
次に、サーバ１４ａの指示受信部１４１は、ネットワーク交換機１３ａからの保管情報選択指示と端末識別情報と情報識別信号とを受信し、受信した保管情報選択指示と端末識別情報と情報識別信号とを照合部１４２に出力する。
次に、照合部１４２には、指示受信部１４１から保管情報選択指示と端末識別情報と情報識別信号とが入力され、入力された保管情報選択指示に基づき、送信端末装置１１ａの端末識別情報に関連付けられている送信者情報が記憶部１４３ａに保管されているか否かを検索して照合する。送信端末装置１１ａの端末識別情報に関連付けられている送信者情報が記憶部１４３ａに保管されている場合、照合部１４２は、情報識別信号に対応する送信者情報を記憶部１４３aから読み出す（ステップＳ１０３）。
【００４３】
送信者情報が保管されていた場合、照合部１４２は、記憶部１４３ａから読み出した情報識別信号に対応する送信者情報と送信者情報が保管されている旨の照合結果とを照合結果送信部１４４に出力する。
照合結果送信部１４４には、情報識別信号に対応する送信者情報と照合結果とが入力され、入力された照合結果に基づき、送信者情報が保管されていた場合、情報識別信号に対応する送信者情報をネットワーク交換機１３ａに送信する（ステップＳ１０４）。
【００４４】
送信者情報が保管されていない場合、照合結果送信部１４４は、送信者情報が保管されていない旨を通知する信号をネットワーク交換機１３aに送信する（ステップＳ１１１）。
【００４５】
ネットワーク交換機１３aの応答受信部１３４は、サーバ１４aが出力する問い合わせ指示に対する応答と情報識別信号に対応する送信者情報とを受信する。送信者情報が保管されていた旨の応答の場合、着信要求送信部１３５は、変換した着信要求信号と受信した情報識別信号に対応する送信者情報とを受信端末装置１２に送信する（ステップＳ１０５）。送信者情報が保管されていない旨の応答の場合、着信要求送信部１３５は、サーバ１４ａに送信者情報が保存されていなかった旨の通知を送信端末装置１１ａに送信し（ステップＳ１１２）、さらに、変換した着信要求信号のみを受信端末装置１２に送信する（ステップＳ１１３）。
【００４６】
また、本実施形態では、保管情報選択指示に基づき送信端末装置１１ａの端末識別情報に関連付けられている送信者情報が記憶部１４３ａに保管されているか否かを検索して照合し、保管されている場合に情報識別信号に対応付けられている送信者情報を読み出す例を説明したが、サーバ１４ａが情報識別信号を重複しないように割り当てて記憶部１４３ａに記憶させるようにすれば、ネットワーク交換機１３ａは、情報識別信号に対応している送信者情報が保管されているか否かの問い合わせ指示をサーバ１４ａに送信し、サーバ１４ａは、受信した情報識別信号に対応している送信者情報を探索するようにしてもよい。
【００４７】
次に、本実施形態による動作の一例を、図６の送信者Ｔ１を例に説明する。
サーバ１４ａの情報識別番号１が選択されると、情報識別番号１に関連付けられている送信者情報１がネットワーク交換機１３ａに送信され、ネットワーク交換機１３ａは送信者情報を受信端末装置１２に送信する。受信端末装置１２は、送信者情報１を受信すると、「Ａ社の者です」というメッセージを表示する。
サーバ１４ａの情報識別番号２が選択されると、情報識別番号２に関連付けられている送信者情報２がネットワーク交換機１３ａに送信され、ネットワーク交換機１３ａは送信者情報２を受信端末装置１２に送信する。受信端末装置１２は、送信者情報２を受信すると、「宅配便のご連絡」というメッセージを表示する。
サーバ１４ａの情報識別番号３が選択されると、情報識別番号３に関連付けられている送信者情報３がネットワーク交換機１３ａに送信され、ネットワーク交換機１３ａは送信者情報３を受信端末装置１２に送信する。受信端末装置１２は、送信者情報３を受信すると、音楽データを再生する。
サーバ１４ａの情報識別番号４が選択されると、情報識別番号４に関連付けられている送信者情報４がネットワーク交換機１３ａに送信され、ネットワーク交換機１３ａは、送信者情報４を受信端末装置１２に送信する。受信端末装置１２は、送信者情報４を受信すると、動画データを再生する。
【００４８】
以上のように、本実施形態によれば、通信システム２では、電話発着信時に着信要求信号以外の情報を受信端末装置１２に送信したい送信者は、サーバ１４ａに複数の情報を保管することが可能となる。送信者は、サーバ１４aに保管されている複数の情報の中から、状況に応じて前記情報を選択し、受信端末装置１２に送信することが可能となる。また、文字データと音楽データなど、サーバ１４ａに保管されている複数の情報を受信端末装置１２に送信することも可能となる。
【００４９】
［第３実施形態］
第１実施形態と第２実施形態では、発呼要求信号が送信端末装置１１からネットワーク交換機１３に送信されると、サーバ１４に保管されている１つ、もしくは複数の情報と着信要求信号が受信端末装置１２に送信される場合について説明した。本実施形態では、サーバ１４に保管されている情報を受信端末装置１２に送信しない場合について説明する。
【００５０】
図９は、本発明の第３実施形態に係る通信システム３の構成図である。図１０は、本実施形態におけるシーケンス図である。
第２実施形態における通信システム２では、送信者が送信端末装置１１ａからネットワーク交換機１３ａに、発呼要求信号の他に、サーバ１４ａに保管されている複数の情報を選択するための情報識別信号などを送信する必要がある。本実施形態でも同様の方法により、サーバ１４に保管されている情報を受信端末装置１２に送信しないことを実現する。
【００５１】
本通信システム３における手順を図１０のシーケンス図を用いて説明する。送信端末装置１１ｂは、ネットワーク交換機１３ｂに発呼要求信号とサーバ１４に保管されている情報を送信しない旨を通知する情報（以下、保管情報送信不要信号という）とを送信する（ステップＳ２０１）。
次にネットワーク交換機１３ｂの発呼要求受信部１３１ｂには、送信端末装置１１ｂが出力する発呼要求信号と保管情報送信不要信号とが入力され、入力された発呼要求信号と保管情報送信不要信とを発呼要求変換部１３２ｂに出力する。
【００５２】
次に、発呼要求変換部１３２ｂには、発呼要求受信部１３１ｂから発呼要求信号と保管情報送信不要信号とが入力され、入力された発呼要求信号から送信端末装置１１ｂの端末識別情報、例えば送信端末装置１１ｂの電話番号を抽出し、さらに、発呼要求信号を受信端末装置１２への着信要求信号に変換する。次に、発呼要求変換部１３２ｂは、抽出した端末識別情報と変換した着信要求信号と保管情報送信不要信号とを応答受信部１３４bに出力する。
応答受信部１３４bには、抽出された端末識別情報と変換された着信要求信号と保管情報送信不要信号とが入力され、入力された着信要求信号に基づき、端末識別情報と着信要求信号とを着信要求送信部１３５bに出力する。
着信要求送信部１３５bには、端末識別情報と着信要求信号とが入力され、入力された端末識別情報と着信要求信号とを受信端末装置１２に送信する（ステップＳ２０２）。
【００５３】
すなわち、本実施形態では、送信端末装置１１ｂからネットワーク交換機１３ｂに発呼要求信号と保管情報送信不要信号とを送信することで、ネットワーク交換機１３ｂは、サーバ１４に送信者情報が登録されているか否かを問い合わせることなく受信端末装置１２に着信要求信号を送信する。
なお、送信端末装置１１ｂが保管情報送信不要信号をネットワーク交換機１３ｂに送信する方法は、情報識別番号などの送信方法と同様に、例えば、発呼要求信号を送信する時、受信端末装置１２の電話番号の末尾に所定の番号を付加する。
【００５４】
以上のように、本実施形態によれば、送信端末装置１１ｂからネットワーク交換機１３ｂに発呼要求信号と保管情報送信不要信号とを送信することで、電話発着信時にサーバ１４に保管されている情報を受信端末装置１２に送信しないことが選択可能となる。
【００５５】
なお、実施形態の図１、図５、図９の各部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５６】
１・・・通信システム
１１・・・送信端末装置
１２・・・受信端末装置
１３・・・ネットワーク交換機
１４・・・サーバ
１３１・・・発呼要求受信部
１３２・・・発呼要求変換部
１３３・・・指示送信部
１３４・・・応答受信部
１３５・・・着信要求送信部
１４１・・・指示受信部
１４２・・・照合部
１４３・・・記憶部
１４４・・・照合結果送信部
【図１】
2011234116.tif 000003
【図２】
2011234116.tif 000004
【図３】
2011234116.tif 000005
【図４】
2011234116.tif 000006
【図５】
2011234116.tif 000007
【図６】
2011234116.tif 000008
【図７】
2011234116.tif 000009
【図８】
2011234116.tif 000010
【図９】
2011234116.tif 000011
【図１０】
2011234116.tif 000012